(57)【要約】      【課題】  本発明の課題は、重合安定性および重合物の安定性に優れ、かつ良好な耐水性を有する粘着剤組成物を形成し得る粘着剤用樹脂組成物水性分散体を提供する事である。      【解決手段】  分子中にリン酸エステル構造およびエチレン性不飽和基を１個以上有するエチレン性不飽和単量体（ａ）を含有するラジカル重合可能なエチレン性不飽和単量体（Ａ）を界面活性剤、重合開始剤、及び水を必須成分とする水性媒体中で重合してなる粘着剤用樹脂組成物水性分散体。    【選択図】    なし【特許請求の範囲】
【請求項１】
分子中にリン酸エステル構造およびエチレン性不飽和基を１個以上有するエチレン性不飽和単量体（ａ）を含有するラジカル重合可能なエチレン性不飽和単量体（Ａ）を界面活性剤、重合開始剤、及び水を必須成分とする水性媒体中で重合してなる粘着剤用樹脂組成物水性分散体。
【請求項２】
リン酸エステル構造を有するエチレン性不飽和単量体（ａ）が、エチレン性不飽和単量体（Ａ）１００重量％の内０．０５〜２０重量％含有される事を特徴とする請求項１記載の粘着剤用樹脂組成物水性分散体。
【請求項３】
リン酸エステル構造を有するエチレン性不飽和単量体（ａ）が、モノ（２−メタクリロイルオキシエチル）アシッドホスフェートおよび／またはジ（２−メタクリロイルオキシエチル）アシッドホスフェートである事を特徴とする請求項１又は２記載の粘着剤用樹脂組成物水性分散体。
【請求項４】
請求項１ないし３のいずれか１項記載の粘着剤用樹脂組成物水性分散体を含有する事を特徴とする水性粘着剤組成物。
【請求項５】
分子中にリン酸エステル構造およびエチレン性不飽和基を１個以上有するエチレン性不飽和単量体（ａ）を含有するラジカル重合可能なエチレン性不飽和単量体（Ａ）を界面活性剤、重合開始剤、及び水を必須成分とする水性媒体中で重合する事を特徴とする粘着剤用樹脂組成物水性分散体の製造方法。
【請求項６】
リン酸エステル構造を有するエチレン性不飽和単量体（ａ）が、エチレン性不飽和単量体（Ａ）１００重量％の内０．０５〜２０重量％含有される事を特徴とする請求項５記載の粘着剤用樹脂組成物水性分散体の製造方法。
【請求項７】
リン酸エステル構造を有するエチレン性不飽和単量体（ａ）が、モノ（２−メタクリロイルオキシエチル）アシッドホスフェートおよび／またはジ（２−メタクリロイルオキシエチル）アシッドホスフェートである事を特徴とする請求項５又は６記載の粘着剤用樹脂組成物水性分散体の製造方法。
【発明の詳細な説明】
【技術分野】
【０００１】
本発明は粘着剤用樹脂組成物水性分散体に関するものである。詳しくは重合安定性および重合物の安定性に優れ、かつ耐水白化性に優れており特に意匠性が高度に要求されるラベル用途やオーバーラミネート用途など透明なフィルム基材に対しても好んで用いる事ができる粘着剤組成物を形成し得る粘着剤用樹脂組成物水性分散体に関する。さらに詳しくは粘着剤組成物を形成する主原料であるエチレン性不飽和単量体の一部として、分子中にリン酸エステル構造およびエチレン性不飽和基を１個以上有するエチレン性不飽和単量体を少なくとも１種類以上共重合することにより上記のような効果を奏する粘着剤組成物を形成し得る粘着剤用樹脂組成物水性分散体に関するものである。
さらに、本発明は、上記粘着剤用樹脂組成物水性分散体を含有する水性粘着剤組成物に関する。
また、本発明は、上記粘着剤用樹脂組成物水性分散体の製造方法に関する。
【背景技術】
【０００２】
近年安全衛生および環境問題に対する配慮から脱溶剤化が進行し、粘着剤においても溶剤型から水性型への移行が進行しつつある。しかしながら水性粘着剤においては、特にエマルジョン重合時に使用される界面活性剤の影響、または粘着剤塗装時に塗膜のハジキを防止し、平滑性を確保する目的で添加されるレベリング剤等の影響により水性粘着剤の乾燥塗膜の耐水性は溶剤型粘着剤に比べて劣るという欠点を有していた。
【０００３】
この欠点を改善するため、従来よりエマルジョン重合時に使用する界面活性剤の総量を低減したり、イオン性である物に比べて水に対する親和性の弱い非イオン性の界面活性剤を使用するなどして耐水性を向上する試みがなされて来ている。しかしながら重合時に凝集物が多量に発生したり、重合物の安定性が乏しいなどの欠点が生じ、実用化は困難であった。
また界面活性剤の構造中にビニル基やアリル基等の重合性基を導入し、重合時に粘着剤用樹脂組成物の主たる構成成分であるエチレン性不飽和単量体と共重合せしめ、重合後に遊離残存する界面活性剤量を低減させることにより耐水性を向上する試みもなされて来ているが、未だ実用に供せられるまでに至っていないのが現状である。
【０００４】
一方、使用するエチレン性不飽和単量体の選択という観点から、水に対する親和性を付与するために併用されるアクリル酸やメタクリル酸等のカルボキシル基を含有する単量体の量を低減する事により耐水性を向上する試みもなされて来ているものの、重合時に凝集物が多量に発生したり、重合物の安定性が乏しいなどの欠点が生じ、実用化は困難であった。
【０００５】
エチレン性不飽和単量体の一部としてリン酸基を含有する化合物を共重合して得られる水性粘着剤としては例えば特許文献１（特開２０００−１８６２５９公報）や特許文献２（特開２００３−３１３５２８公報）に記載されている。
しかし、特許文献１においてはリン酸基含有化合物は粘着剤塗膜の黄変性の低減に効果を奏する事を趣旨として記載されており、また特許文献２においてはリン酸基含有化合物はポリオレフィンフィルムに対する接着力の向上に効果を奏する事を趣旨として記載されており、両文献ともに耐水性改善という効能については何ら言及されていない。これに対し本発明者らはリン酸エステル化合物を共重合することにより得られる粘着剤組成物が耐水性に優れるという新規な事実を見出し、本発明に至ったものである。
【特許文献１】特開２０００−１８６２５９公報
【特許文献２】特開２００３−３１３５２８公報
【発明の開示】
【発明が解決しようとする課題】
【０００６】
本発明の課題は、重合安定性および重合物の安定性に優れ、かつ良好な耐水性を有する粘着剤組成物を形成し得る粘着剤用樹脂組成物水性分散体を提供する事である。
【課題を解決するための手段】
【０００７】
第１の発明は、分子中にリン酸エステル構造およびエチレン性不飽和基を１個以上有するエチレン性不飽和単量体（ａ）を含有するラジカル重合可能なエチレン性不飽和単量体（Ａ）を界面活性剤、重合開始剤、及び水を必須成分とする水性媒体中で重合してなる粘着剤用樹脂組成物水性分散体に関し、
第２の発明は、リン酸エステル構造を有するエチレン性不飽和単量体（ａ）が、エチレン性不飽和単量体（Ａ）１００重量％の内０．０５〜２０重量％含有される事を特徴とする上記発明に記載の粘着剤用樹脂組成物水性分散体に関し、
第３の発明は、リン酸エステル構造を有するエチレン性不飽和単量体（ａ）が、モノ（２−メタクリロイルオキシエチル）アシッドホスフェートおよび／またはジ（２−メタクリロイルオキシエチル）アシッドホスフェートである事を特徴とする上記いずれかの発明に記載の粘着剤用樹脂組成物水性分散体に関する。
【０００８】
第４の発明は、上記いずれかの発明に記載の樹脂組成物水性分散体を含有する事を特徴とする水性粘着剤組成物に関する。
【０００９】
第５の発明は、分子中にリン酸エステル構造およびエチレン性不飽和基を１個以上有するエチレン性不飽和単量体（ａ）を含有するラジカル重合可能なエチレン性不飽和単量体（Ａ）を界面活性剤、重合開始剤、及び水を必須成分とする水性媒体中で重合する事を特徴とする粘着剤用樹脂組成物水性分散体の製造方法に関し、
第６の発明は、リン酸エステル構造を有するエチレン性不飽和単量体（ａ）が、エチレン性不飽和単量体（Ａ）１００重量％の内０．０５〜２０重量％含有される事を特徴とする上記第５の発明に記載の粘着剤用樹脂組成物水性分散体の製造方法に関し、
第７の発明は、リン酸エステル構造を有するエチレン性不飽和単量体（ａ）が、モノ（２−メタクリロイルオキシエチル）アシッドホスフェートおよび／またはジ（２−メタクリロイルオキシエチル）アシッドホスフェートである事を特徴とする上記第５又は第６の発明に記載の粘着剤用樹脂組成物水性分散体の製造方法に関する。
【発明の効果】
【００１０】
本発明の粘着剤用組成物水性分散体は、重合時の安定性や重合物の安定性を損なう事なく良好な耐水性を有する粘着剤組成物を提供できる。そのため、特に意匠性が高度に要求されるラベル用途やオーバーラミネート用途などのような透明なフィルム基材に対して適用される場合でも好んで用いる事ができる。
【発明を実施するための最良の形態】
【００１１】
本発明に用いられる分子中にリン酸エステル構造およびエチレン性不飽和基を１個以上有するエチレン性不飽和単量体（ａ）としては、モノ（２−メタクリロイルオキシエチル）アシッドホスフェート、ジ（２−メタクリロイルオキシエチル）アシッドホスフェートが挙げられるが、特にこれらに限定されるものではなく、それらのアルカリ金属、アミン、アンモニウム等の塩を使用しても良い。分子中にリン酸エステル構造およびエチレン性不飽和基を１個以上有するエチレン性不飽和単量体（ａ）のその他の例としては、ポリオキシエチレンアルキルプロペニルフェニルエーテルとリン酸とのモノエステルまたはジエステル、ポリオキシエチレン（１−アルキルフェノキシメチル−２−アリルオキシ）エチルエーテルとリン酸とのモノエステルまたはジエステル、ポリオキシエチレン（１−アルキルオキシメチル−２−アリルオキシ）エチルエーテルとリン酸とのモノエステルまたはジエステル、アルキルポリオキシエチレン−（２−ヒドロキシ−３−メタクリロイルオキシ）プロパンリン酸エステル、およびこれらのアルカリ金属、アミン、アンモニウム等の塩を挙げる事ができる。これらは単独でまたは２種類以上を組み合わせて使用する事ができる。
【００１２】
本発明に用いられる、上記リン酸エステル構造を有するエチレン性不飽和単量体（ａ）以外のエチレン性不飽和単量体として、（ｂ）アルキル基の炭素数が１〜１４であるアクリル酸アルキルエステルおよびメタクリル酸アルキルエステルが挙げられる。（ｂ）アルキル基の炭素数が１〜１４であるアクリル酸アルキルエステルおよびメタクリル酸アルキルエステルとしては、メチル（メタ）アクリレート、［メチルアクリレートとメチルメタクリレートを併せてメチル（メタ）アクリレートと表記する。以下同様。］、エチル（メタ）アクリレート、ブチル（メタ）アクリレート、ヘキシル（メタ）アクリレート、オクチル（メタ）アクリレート、ラウリル（メタ）アクリレート、２−エチルヘキシル（メタ）アクリレート、ドデシル（メタ）アクリレートなどの直鎖または分岐脂肪族アルコールのアクリル酸エステル及び対応するメタクリル酸エステルなどが例示できる。なかでも、アルキル基の炭素数が４〜１２の（メタ）アクリル酸アルキルエステルが好ましく用いられる。これらは、エチレン性不飽和単量体全１００重量％中、３２〜９９．４５重量％含有され、単独であるいは２種類以上併用して用いることができる。
【００１３】
上記単量体（ｂ）と共に、（ｃ）カルボキシル基を有するエチレン性不飽和単量体が共重合される事が好ましい。
（ｃ）カルボキシル基を有するエチレン性不飽和単量体としては、（メタ）アクリル酸、マレイン酸、フマル酸、イタコン酸などが例示できる。これらは、エチレン性不飽和単量体全１００重量％中、０．５〜５重量％含有され、単独であるいは２種類以上併用して用いることができる。
【００１４】
（ｂ）、（ｃ）以外の単量体としては、必要に応じて配合する架橋剤の種類に応じて、（ｄ）アルコール性水酸基を有する共重合可能な（メタ）アクリル単量体や（ｅ）カルボニル基を有する共重合可能な（メタ）アクリル単量体が用いられる。
（ｄ）アルコール性水酸基を有する共重合可能なアクリル単量体としては、２−ヒドロキシルエチル（メタ）アクリレート、２−ヒドロキシプロピル（メタ）アクリレート、２−ヒドロキシルブチル（メタ）アクリレートなどが例示できる。これらは、エチレン性不飽和単量体全１００重量％中、０．５〜５重量％含有され、単独であるいは２種類以上併用して用いることができる。
（ｄ）アルコール性水酸基を有する共重合可能なアクリル単量体を使用する場合に、粘着剤組成物を得る際に配合し得る架橋剤としては、イソシアネート化合物、チタンやジルコニウムなどの金属のアルコキシド化合物等が挙げられる。
【００１５】
（ｅ）カルボニル基を有する共重合可能なアクリル単量体としては、アクロレイン、ジアセトン（メタ）アクリルアミド、ホルミルスチロール、好ましくは４〜７個の炭素原子を有するビニルアルキルケトン（例えばビニルメチルケトン、ビニルエチルケトン、ビニルイソブチルケトンなど）、ジアセトン（メタ）アクリレート、アセトニル（メタ）アクリレート、アセトアセトキシエチル（メタ）アクリレート、ジアセトン（メタ）アクリレート、２−ヒドロキシプロピル（メタ）アクリレート−アセチルアセテート、ブタンジオール−１，４−（メタ）アクリレート−アセチルアセテート等が例示できる。
これらは、エチレン性不飽和単量体全１００重量％中、０．５〜５重量％含有され、単独であるいは２種類以上併用して用いることができる。
（ｅ）カルボニル基を有する共重合可能なアクリル単量体を使用する場合に、粘着剤組成物を得る際に配合し得る架橋剤としては、アミン類、ヒドラジド化合物等が挙げられる。
【００１６】
その他の単量体としては、ポリエチレングリコール（メタ）アクリレート、グリシジル（メタ）アクリレート、モノ−（２−ヒドロキシルエチル−α−クロロ（メタ）アクリレート）アシッドホスフェート、ビニルブロックトイソシアネート、Ｎ−メチロール（メタ）アクリルアミド、Ｎ−メチルアミノエチル（メタ）アクリレート、Ｎ−トリブチルアミノエチル（メタ）アクリレート、Ｎ，Ｎ−ジメチルアミノエチル（メタ）アクリレート、Ｎ，Ｎ−ジエチルアミノエチル（メタ）アクリレート、（メタ）アクリルアミド、ビニルピロリドン、ビニルエステル、ビニルピリジン、酢酸ビニル、プロピオン酸ビニル、スチレン、（メタ）アクリロニトリル、ブタジエン、クロロプレンなどが例示できる。これらは必要に応じて、３０重量％以下で含有することができ、単独であるいは２種類以上併用して用いることができる。
【００１７】
さらに、本発明の粘着剤用樹脂組成物水性分散体中の分散粒子は、粒子内架橋構造を有していてもよい。
粒子内架橋剤としては、フタル酸のジアリルエステルや多官能アクリル系単量体等の各種多官能単量体を用いることができる。
フタル酸のジアリルエステルとしては、オルソフタル酸、イソフタル酸、テレフタル酸のジアリルエステルが、
また、多官能アクリル系単量体としては、メチレンビス（メタ）アクリルアミド、１、６−ヘキサンジオールジ（メタ）アクリレート、エチレングルコールジ（メタ）アクリレート、トリメチロールプロパントリ（メタ）アクリレート、ジペンタエリスリトールヘキサ（メタ）アクリレートなどが例示できる。これらはエチレン性不飽和単量体（Ａ）の合計１００重量％の内０．１〜３重量％含有され、単独であるいは２種類以上併用して用いることもできる。
【００１８】
本発明の粘着剤用樹脂組成物水性分散体は、ラジカル重合可能なエチレン性不飽和単量体（Ａ）を重合してなるものであり、その単量体の成分として分子中にリン酸エステル構造およびエチレン性不飽和基を１個以上有するエチレン性不飽和単量体（ａ）を必須成分として含有するが、エチレン性不飽和単量体（ａ）は、エチレン性不飽和単量体（Ａ）の合計１００重量％の内０．０５〜２０重量％含有される事が好ましく、エチレン性不飽和単量体（Ａ）の合計１００重量％の内０．１〜１０重量％含有される事がより好ましい。
エチレン性不飽和単量体（ａ）の量が少ないと耐水白化性の向上効果が不十分となり、また量が多いと重合時の粘度上昇が著しくなり、作業性が劣ってしまうため好ましくない。従って上記したように、分子中にリン酸エステル構造およびエチレン性不飽和基を１個以上有するエチレン性不飽和単量体（ａ）は、エチレン性不飽和単量体（Ａ）の合計１００重量％の内０．０５〜２０重量％含有される事が好ましい。
【００１９】
本発明の粘着剤用樹脂組成物水性分散体を得る際に用いる界面活性剤としては、反応性界面活性剤、非反応性界面活性剤などが、単独であるいは２種類以上併用して用いることができる。
反応性界面活性剤としては以下の化合物を例示することができる。アニオン系界面活性剤としてはノニルフェニル骨格の旭電化工業株式会社製「アデカリアソープＳＥ−１０Ｎ」、第一工業製薬株式会社製「アクアロンＨＳ−１０、ＨＳ−２０」等、長鎖アルキル骨格の第一工業製薬株式会社製「アクアロンＫＨ−０５、ＫＨ−１０」、旭電化工業株式会社製「アデカリアソープＳＲ−１０Ｎ」等が例示できる。
ノニオン系界面活性剤としては、ポリオキシエチレンアルキルエーテル類、ポリオキシエチレンアルキルフェニルエーテル類、ソルビタン高級脂肪酸エステル類、グリセリン高級脂肪酸エステル類等の分子末端あるいは中間部に不飽和二重結合を有し、単量体と共重合するものであり、旭電化工業株式会社製「アデカリアソープＮＥ−１０」、第一工業製薬株式会社製「アクアロンＲＮ−１０、ＲＮ−２０、ＲＮ−５０」、日本乳化剤株式会社製「アントックスＮＡ−１６」等が例示できる。
また非反応性界面活性剤としては、以下の化合物を例示する事ができる。アニオン系界面活性剤としてはステアリン酸ナトリウム等の高級脂肪酸塩類、ドデシルベンゼンスルホン酸ナトリウム等のアルキルアリールスルホン酸塩類、ラウリル硫酸ナトリウム等のアルキル硫酸エステル塩類、ポリオキシエチレンラウリルエーテル硫酸ナトリウム等のポリオキシエチレンアルキルエーテル硫酸エステル塩類、ポリオキシエチレンノニルフェニルエーテル硫酸ナトリウム等のポリオキシエチレンアルキルアリールエーテル硫酸エステル塩類等が例示できる。
ノニオン系界面活性剤としては、ポリオキシエチレンラウリルエーテル等のポリオキシエチレンアルキルエーテル類、ポリオキシエチレンノニルフェニルエーテル等のポリオキシエチレンアルキルフェニルエーテル類、ソルビタンモノステアレート等のソルビタン高級脂肪酸エステル類、オレイン酸モノグリセライド等のグリセリン高級脂肪酸エステル類等が例示できる。
【００２０】
本発明に用いられる重合開始剤としては、過硫酸カリウム、過硫酸アンモニウム等の過硫酸塩またはアゾビス系カチオン塩または水酸基付加物質などの水溶性の熱分解型重合触媒、またはレドックス系重合触媒を用いることができる。レドックス系重合触媒としては、ｔ−ブチルハイドロパーオキサイド、ベンゾイルパーオキサイド、クメンハイドロパーオキサイドなどの有機過酸化物とロンガリット、メタ重亜硫酸ナトリウムなどの還元剤との組み合わせ、または過硫酸カリウム、過硫酸アンモニウムとロンガリット、チオ硫酸ナトリウムなどの組み合わせ、過酸化水素水とアスコルビン酸の組み合わせなどが挙げられる。
【００２１】
本発明の粘着剤用樹脂組成物水性分散体は、エチレン性不飽和単量体（Ａ）を重合する際に、分子量や分子量分布を制御するための連鎖移動剤として、メルカプタン系、チオグリコール系、βメルカプトプロピオン酸などのチオール系化合物や、アリル水素を有するロジン系化合物やテルペン系化合物などを用いることができる。添加量は、エチレン性不飽和単量体（Ａ）の総量１００重量部に対して０．０１〜１０．０重量部であることが好ましく、０．１〜５重量部であることがより好ましい。
【００２２】
次に、本発明の粘着剤組成物について説明する。
本発明の粘着剤組成物は、上記粘着剤用樹脂組成物水性分散体を主たる成分とするものであり、この粘着剤用樹脂組成物水性分散体に必要に応じて粘着力調整のために、適当な粘着付与剤、例えば、ロジン樹脂、フェノール樹脂、ポリテルペン、アセチレン樹脂、石油系炭化水素樹脂、エチレン酢酸ビニル共重合体、合成ゴム、天然ゴム等を適当量添加することができる。さらに架橋剤、粘度調整剤、消泡剤、レベリング剤、可塑剤、充填剤、中和剤、着色剤、シランカップリング剤、防腐剤なども添加しても良い。
【００２３】
本発明の粘着剤組成物を、コンマコーター、リバースコーター、スロットダイコーター、リップコーター、グラビアチャンバーコーター、カーテンコーター等の各種コーティング装置により、紙またはフィルム基材、もしくは剥離性シート上に塗布し、乾燥することによって、粘着シート、粘着ラベル等の各種粘着塗工物を得ることができる。紙等に粘着剤組成物を塗布した後、８０℃〜１２０℃で乾燥することが好ましい。乾燥温度が８０℃以下では乾燥しにくく、乾燥に長時間を要する。他方、１２０℃よりも高温で乾燥すると、基材または剥離性シートの熱劣化を生じ、好ましくない。
紙またはフィルム基材上に粘着剤組成物を塗布した場合は、乾燥後に剥離性シートと貼り合わせることにより、また剥離性シート上に粘着剤組成物を塗布した場合は、乾燥後に紙またはフィルム基材と貼りあわせることにより、どちらの手法によっても各種粘着塗工物を得ることができる。
剥離性シートは、セパレーターとも称されるものであり、紙やプラスチックフィルムの少なくとも一方の面が剥離処理されてなるものである。剥離処理剤としては従来公知のものを用いることができる。
【実施例】
【００２４】
以下に実施例によって本発明を説明するが、これに限定されるものではない。実施例中にある部とは重量部を、％とは重量％をそれぞれ示す。
（実施例−１）
２−エチルヘキシルアクリレート９１．３部、メチルメタクリレート７部、アクリル酸１部、ジアセトンアクリルアミド０．２部、モノ（２−メタクリロイルオキシエチル）アシッドホスフェート０．５部、これら全エチレン性不飽和単量体１００部に対して反応性アンモニア中和型アニオン性界面活性剤として第一工業製薬（株）製「アクアロンＫＨ−１０」２部を脱イオン水３０．２部に溶解したものを加えて攪拌して乳化物を得、これを滴下ロートに入れた。
撹拌機、冷却管、温度計および上記滴下ロートを取り付けた４つ口フラスコに、脱イオン水を４３．９部、アクアロンＫＨ−１０を０．１部仕込み、フラスコ内部を窒素ガスで置換し、撹拌しながら内温を８０℃まで昇温し、３％過硫酸カリウム水溶液を固形分として０．１５部添加した。５分後、上記滴下ロートから上記乳化物の滴下を開始し、これと並行して３％過硫酸カリウム水溶液を固形分として０．４５部を別の滴下口から３時間かけて滴下した。
内温を８０℃に保ったまま、上記乳化物および３％過硫酸カリウム水溶液滴下終了３０分後に、３％過硫酸カリウム水溶液を固形分として０．０６部を２回に分けて３０分おきに添加した。
さらに撹拌しながら８０℃にて２時間熟成した後冷却し、アンモニア水にて中和し、固形分５１％の粘着剤用樹脂組成物水性分散体を得た。
得られた粘着剤用樹脂組成物水性分散体に、消泡剤、レベリング剤、防腐剤を加え、さらにアンモニア水でｐＨ＝７．５〜８に調整し、ロジン系粘着付与樹脂として荒川化学（株）製「スーパーエステルＥ−７２０」（固形分５０％）を固形分として２０部、および架橋剤として６％アジピン酸ジヒドラジド水溶液を固形分として０．１部加え、さらに粘度調整剤で３０００ｍＰａ・ｓ（ＢＬ型粘度計、＃４ローター使用、６０ｒｐｍにて測定）に調整し、水性粘着剤組成物を得た。
これをコンマコーターで剥離紙上に乾燥塗膜量が２０ｇ／ｍ2になるように塗工し、１００℃の乾燥オーブンで４０秒間乾燥させ、厚さ５０μｍのＰＥＴフィルムとラミネートして巻き取り、粘着剤塗工物を得た。
【００２５】
（実施例−２）
２−エチルヘキシルアクリレート９１．６部、メチルメタクリレート７部、アクリル酸１部、ジアセトンアクリルアミド０．２部、ジ（２−メタクリロイルオキシエチル）アシッドホスフェート０．２部、これら全エチレン性不飽和単量体１００部に対して「アクアロンＫＨ−１０」２部を脱イオン水３０．２部に溶解したものを加えて攪拌して乳化物を得た。以下、実施例−１と同様にして固形分５１％の粘着剤用樹脂組成物水性分散体を得、実施例−１と同様にして水性粘着剤組成物および粘着剤塗工物を得た。
【００２６】
（実施例−３）
ブチルアクリレート９３．５部、メチルメタクリレート５部、アクリル酸１部、ジアセトンアクリルアミド０．２部、モノ（２−メタクリロイルオキシエチル）アシッドホスフェート０．３部、これら全エチレン性不飽和単量体１００部に対して「アクアロンＫＨ−１０」２部を脱イオン水３０．２部に溶解したものを加えて攪拌して乳化物を得た。以下、実施例−１と同様にして固形分５１％の粘着剤用樹脂組成物水性分散体を得、実施例−１と同様にして水性粘着剤組成物および粘着剤塗工物を得た。
【００２７】
（比較例−１）
２−エチルヘキシルアクリレート９１．８部、メチルメタクリレート７部、アクリル酸１部、ジアセトンアクリルアミド０．２部、これら全エチレン性不飽和単量体１００部に対して「アクアロンＫＨ−１０」２部を脱イオン水３０．２部に溶解したものを加えて攪拌して乳化物を得た。以下、実施例−１と同様にして固形分５１％の粘着剤用樹脂組成物水性分散体を得、実施例−１と同様にして水性粘着剤組成物および粘着剤塗工物を得た。
【００２８】
（比較例−２）
２−エチルヘキシルアクリレート９１．８部、メチルメタクリレート７部、アクリル酸１部、ジアセトンアクリルアミド０．２部、これら全エチレン性不飽和単量体１００部に対して「アクアロンＫＨ−１０」０．６部を脱イオン水３０．２部に溶解したものを加えて攪拌して乳化物を得た。以下、実施例−１と同様にして固形分５１％の粘着剤用樹脂組成物水性分散体を得、実施例−１と同様にして水性粘着剤組成物および粘着剤塗工物を得た。
【００２９】
（比較例−３）
２−エチルヘキシルアクリレート９２．４部、メチルメタクリレート７部、アクリル酸０．４部、ジアセトンアクリルアミド０．２部、これら全エチレン性不飽和単量体１００部に対して「アクアロンＫＨ−１０」２部を脱イオン水３０．２部に溶解したものを加えて攪拌して乳化物を得た。以下、実施例−１と同様にして固形分５１％の粘着剤用樹脂組成物水性分散体を得、実施例−１と同様にして水性粘着剤組成物および粘着剤塗工物を得た。
【００３０】
［試験方法］
１）重合安定性
各実施例および比較例において得られた水性粘着剤組成物を反応容器から取り出した際の、容器内壁および攪拌羽根に付着している凝集物の量を目視評価にて判定した。
○・・・凝集物がほとんどない。
△・・・反応容器内壁に一部凝集物が見られ、また攪拌羽根にも付着が見られる。
×・・・反応容器内壁のほぼ全面および攪拌羽根にも多量の凝集物が付着している。
【００３１】
２）機械的安定性試験
各実施例および比較例において得られた水性粘着剤組成物５０ｇに水を５ｇ添加して希釈し、その内の５０ｇを試験試料とした。マーロン式機械的安定性試験機を用いて、荷重１５ｋｇ、１０分間の条件にて試料に機械的負荷を与えた後、３００メッシュの金網でろ過し、乾燥後の金網上に残留した凝固物の重量を測定し、次式により凝固率（％）を算出した。
凝固率（％）＝凝固物の重量／試験試料の重量×１００
凝固率の高い方が粘着剤組成物の機械的安定性に劣る事を意味する。
【００３２】
３）耐水白化性測定
粘着剤塗工物の剥離紙を剥がして、両面がアルミ蒸着されたＰＥＴフィルムとラミネートし、水に浸して６０℃雰囲気下で７２時間放置した。所定時間経過後取り出し、水を拭き取って分光測色計を使用し、反射法により粘着剤層の存在する側の面のＬ値を測定する事により、膜の白さを評価した。数値が高いほど白化が進行しており、外観が劣る事を意味する。
表１に重合安定性、機械的安定性、耐水白化性測定の評価結果を示した。
【００３３】
【表１】
2006008833.tif 000002
【００３４】
比較例−１に示されるように、リン酸エステル構造を有する単量体を用いない場合は耐水白化性が極めて劣っている。比較例−２および比較例−３に示されるように、それぞれ比較例−１に対して重合時に使用する界面活性剤の量を３分の１まで減量した場合、あるいは重合物に水親和性を付与するための成分であるアクリル酸の使用量を半量以下まで減量すると、耐水白化性はやや向上する傾向にはあるが、依然として本発明の実施例における測定値にはおよばず、さらには重合安定性や機械的安定性が著しく悪化し、工業的に収率の低下やろ過性の悪化を引き起こし不経済であるばかりか、粘着剤の塗装時に塗装装置から受ける機械的な剪断力により凝集物が発生しやすくなり、塗装表面の面荒れや配管詰まりなどの不具合を引き起こす危険性が高くなる。
これに対し実施例に示されるように、リン酸エステル構造を有する単量体を共重合する事により耐水白化性は極めて良好となり、特に意匠性が求められるラベル用途やオーバーラミネート用途に好んで用いる事ができ、粘着剤が塗布されている基材が透明で粘着剤層が外側から見える場合、その表面が水に浸されたり、高湿度下に暴露されたとしても粘着剤層が白化しにくいため、外観を損なう事がなく意匠性を維持できる。